(57)【特許請求の範囲】
【請求項１】
室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部の略中央に逆Ｌ字状の係止部を１個設けたものであって、前記本体フレームに設けられる一対の前記突起部間の寸法を、前記突起部が前記立ち上がり部の反りが少ない箇所である前記突起部から前記本体フレームの端部までの寸方より大きく形成した換気装置。
【請求項２】
室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部に前記突起部および前記係止部を設け、下部側の立ち上がり部に係止用爪を設け、前記本体フレームの上部側の立ち上がり部の略中央に逆Ｌ字状の前記係止部を１個設けたものであって、前記本体フレームに設けられる一対の前記突起部間の寸法を、前記突起部が前記立ち上がり部の反りが少ない箇所である前記突起部から前記本体フレームの端部までの寸方より大きく形成した換気装置。
【請求項３】
本体フレームに設けられる突起部を、背面側に下降するフレーム側傾斜面を有した形状とし、前記突起部が係合するように前面パネルに設けた係合孔に、前記突起部のフレーム側傾斜面が係合するパネル側傾斜面を設けた請求項１または２記載の換気装置。
【請求項４】
本体フレーム側に設けられる突起部のフレーム側傾斜面の傾斜角度を立ち上がり部に対して４５°以上に形成した請求項３記載の換気装置。
【請求項５】
本体フレームに設けられる突起部のフレーム側傾斜面を補強リブを兼ねるように形成した請求項３または４記載の換気装置。
【発明の詳細な説明】
【技術分野】
【０００１】
本発明は、室内と室外を連通するように設けた風洞パイプに装着されて換気をする換気装置に関する。
【背景技術】
【０００２】
従来、この種の換気装置の一例として、化粧パネルを着脱させる換気装置が知られている（例えば、特許文献１参照）。
【０００３】
以下、その換気装置について図５を参照にしながら説明する。
【０００４】
図に示すように、本体１０１の上部側の折曲壁１０２に突状部１０３を設け、化粧パネル１０４側には本体１０１に設けた突状部１０３に係合する嵌合用突起部１０５を設け、本体１０１の下部側には受け部１０６を設け、受け部１０６に係合する掛止爪１０７を化粧パネル１０４側に設け構成している。
【特許文献１】特開２００１−３１７７７４号公報（［００１７］〜［００２４］図２）
【発明の開示】
【発明が解決しようとする課題】
【０００５】
このような従来の換気装置では、本体１０１に設けた突状部１０３に化粧パネル１０４側に設けた嵌合用突起部１０５の係合が何らかの原因で外れた場合に、本体１０１の下部側に設けた受け部１０６に化粧パネル１０４側に設けた掛止爪１０７により化粧パネル１０４の落下を防止するようにしたものであり、本体１０１側に設けられる突状部１０３と、化粧パネル１０４側に設けられる嵌合用突起部１０５との係合によるもので、単に突部状に形成されているもの同志の係合によるので、化粧パネル１０４を本体１０１側に取り付けるときに中途半端な状態で取り付けられることがあり、このように中途半端な状態で取り付けられることに配慮されていないという課題があり、化粧パネル１０４を確実に取り付けられるようにすることが要求されている。
【０００６】
本発明は、このような従来の課題を解決するものであり、前面パネルが中途半端な状態で取り付くのを防止して前面パネルが落下するのを防止できる換気装置を提供することを目的としている。
【課題を解決するための手段】
【００１３】
本発明の換気装置は上記目的を達成するために、室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部の略中央に逆Ｌ字状の係止部を１個設けたもの、または、室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部に前記突起部および前記係止部を設け、下部側の立ち上がり部に係止用爪を設け、前記本体フレームの上部側の立ち上がり部の略中央に逆Ｌ字状の前記係止部を１個設けたもの、であって、前記本体フレームに設けられる一対の前記突起部間の寸法を、前記突起部が前記立ち上がり部の反りが少ない箇所である前記突起部から前記本体フレームの端部までの寸法より大きく形成したものである。
【００１４】
この手段により、立ち上がり部が反っていても確実に誤取付を防止することができる換気装置が得られる。
【００１５】
また、他の手段は、本体フレームに設けられる突起部を、背面側に下降するフレーム側傾斜面を有した形状とし、前記突起部が係合するように前面パネルに設けた係合孔に、前記突起部のフレーム側傾斜面が係合するパネル側傾斜面を設け構成したものである。
【００１６】
この手段により、前面パネルの落下防止および壁部との隙間を防ぎ、インテリア性を向上できる換気装置が得られる。
【００１７】
また、他の手段は、本体フレーム側に設けられる突起部のフレーム側傾斜面の傾斜角度を立ち上がり部に対して４５°以上に形成したものである。
【００１８】
この手段により、前面パネルの落下防止および壁部との隙間を防ぎ、インテリア性を向上できる換気装置が得られる。
【００１９】
また、他の手段は、本体フレームに設けられる突起部のフレーム側傾斜面を補強リブを兼ねるように形成したものである。
【００２０】
この手段により、突起部の破損を防止することができ、また、前面パネルを無理やり押し込んでも誤取り付けにならない換気装置が得られる。
【発明の効果】
【００２３】
本発明によれば、前面パネルの落下を防止するとともに、前面パネルの係合を容易にすることができるという効果のある換気装置を提供できる。
【００２４】
また、前面パネルの着脱操作時に回動支点となる係止部が仮止め効果を発揮し、不意の落下を防止できるという効果のある換気装置を提供できる。
【００２５】
また、前面パネルの取り付けが容易で、前面パネルの落下を未然に防ぐことができるとともに、天井取り付けの際に係止用爪が破損した場合にも前面パネルが落下することなくぶら下がり、破損したことが容易に認識可能な効果のある換気装置を提供できる。
【００２６】
また、立ち上がり部が反っていても確実に誤取り付けを防止することができる効果のある換気装置を提供できる。
【００２７】
また、前面パネルの落下防止および壁部との隙間を防ぎ、インテリア性を向上できる効果のある換気装置を提供できる。
【００２８】
また、突起部の破損が防止でき、また、前面パネルを無理やり押し込んでも誤取り付けにならない効果のある換気装置を提供できる。
【００２９】
また、着脱用の爪のくぼみに指が入ることで、前面パネルの取り外し性が向上する効果のある換気装置を提供できる。
【発明を実施するための最良の形態】
【００３３】
本発明の請求項１または２記載の換気装置は、室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部の略中央に逆Ｌ字状の係止部を１個設けたもの、または、室内と室外を連通するように壁部に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、この本体フレームの前記立ち上がり部に、前記本体フレームの正面側寄りに設けた突起部と、前記本体フレームの背面側寄りに逆Ｌ字状に形成し設けられる係止部と、前記本体フレームに取り付けられる前面パネルに、前記突起部が係合する係合孔および前記係止部が係合するように設けられる係合突部と、前記本体フレームに設けた係止用爪に弾性係合するように設けられる着脱用の爪とを備え、前記係止用爪を前記本体フレームの、前記突起部および前記係止部を設けた立ち上がり部と対面する立ち上がり部に設け、前記本体フレームの上部側の立ち上がり部に前記突起部および前記係止部を設け、下部側の立ち上がり部に係止用爪を設け、前記本体フレームの上部側の立ち上がり部の略中央に逆Ｌ字状の前記係止部を１個設けたもの、であって、前記本体フレームに設けられる一対の前記突起部間の寸法を、前記突起部が前記立ち上がり部の反りが少ない箇所である前記突起部から前記本体フレームの端部迄の寸法より大きく形成したものであり、突起部が立ち上がり部の反りが少ない箇所に設けることができることとなり、前面パネルを本体フレームの正面から取り付けようとした場合にも本体フレームの前面寄りに設けた突起部が確実に前面パネルに当るので立ち上がり部が反っていても確実に前面パネルを取り付けることができるという作用を有する。
【００３４】
また、請求項３記載の換気装置は、本体フレームに設けられる突起部を、背面側に下降するフレーム側斜面を有した形状とし、前記突起部が係合するように前面パネルに設けた係合孔に、前記突起部のフレーム側傾斜面が係合するパネル側傾斜面を設けたものであり、前面パネルの自重によって前面パネルに設けたパネル側傾斜面が本体フレームに設けたフレーム側傾斜面により強く係合し、前面パネルが落下しにくい側に、また、天井取り付けの場合には下部の着脱用の爪が引っかかる方向に、また、壁部に取り付けた場合には前面パネルを壁部に押さえつける方向に作用することになり、前面パネルの落下防止および壁部との隙間を防ぎ、インテリア性を向上させることができるという作用を有する。
【００３５】
また、請求項４記載の換気装置は、本体フレーム側に設けられる突起部のフレーム側傾斜面の傾斜角度を立ち上がり部に対して４５°以上に形成したものであり、前面パネルの自重によって滑りやすい最適な角度のため、前面パネルの落下防止および壁部との隙間を防ぎインテリア性を向上させるという作用を有する。
【００３６】
また、請求項５記載の換気装置は、本体フレームに設けられる突起部のフレーム側傾斜面を補強リブを兼ねるように形成したものであり、前面パネルの誤取り付け防止の突起部の剛性を高めることができ、突起部が簡単に折れることがなくなり、前面パネルを無理やりに押し込まれても誤取付にならないという作用を有する。
【００３８】
以下、本発明の実施の形態について図面を参照しながら説明する。
【００３９】
（実施の形態１）
図１〜図４に示すように、室内と室外を連通するように壁部１に埋設された風洞パイプ２に装着される筒状部３と、筒状部３の室内側開口の外周に半径方向に張り出した略方形状に形成されたフランジ部４と、フランジ部４の周辺の背面側に形成された立ち上がり部５とを設けた本体フレーム６と、本体フレーム６の立ち上がり部５に、本体フレーム６の正面側寄りに設けた突起部７と、本体フレーム６の背面側寄りに逆Ｌ字状に形成し設けられる係止部８と、本体フレーム６に取り付けられる前面パネル９に、突起部７が係合する係合孔１０および係止部８が係合するように設けられる係合突部１１と、本体フレーム６に設けた係止用爪１２に弾性係合するように設けられる着脱用の爪１３とを設け、突起部７および係止部８を設けた立ち上がり部５と対面する立ち上がり部５に係止用爪１２を設ける。
【００４０】
また、本体フレーム６の上部側の立ち上がり部５に突起部７および係止部８を設け、下部側の立ち上がり部５に係止用爪１２を設け、本体フレーム６の上部側の立ち上がり部５の略中央に逆Ｌ字状の係止部８を１個設け、本体フレーム６に設けられる一対の突起部７間の寸法（Ａ）を突起部７から本体フレーム６の端部迄の寸法（Ｂ）より大きく設ける。
【００４１】
また、本体フレーム６に設けられる突起部７を、背面側に下降するフレーム側傾斜面１４を有した形状とし、突起部７が係合するように、前面パネル９に設けた係合孔１０に、突起部７のフレーム側傾斜面１４が係合するパネル側傾斜面１５を設け、本体フレーム６側に設けられる突起部７のフレーム側傾斜面１４の傾斜角度を立ち上がり部５に対して４５°以上に形成する。
【００４２】
また、本体フレーム６に設けられる突起部７のフレーム側傾斜面１４を、突起部７を補強する補強リブを兼ねるように形成し、前面パネル９に設けられる着脱用の爪１３をくぼみ１６が形成される曲がり部１７により形成し構成する。
【００４３】
上記構成において本体フレーム６に前面パネル９を取り付けるときには、本体フレーム６の上部側の立ち上がり部５の背面側寄りに設けた逆Ｌ字状の係止部８に、前面パネル９に設けた係合突部１１を掛けて前面パネル９を仮止め状態に保持したのち、前面パネル９に設けた係止部８と係合突部１１の係合箇所を支点にして本体フレーム６に装着するように可動すると、本体フレーム６の上部側の立ち上がり部５の正面側寄りに設けた突起部７に前面パネル９に設けた係合孔１０が係合する。このとき、突起部７に設けたフレーム側傾斜面１４に前面パネル９の係合孔１０に設けたパネル側傾斜面１５が係合し、パネル側傾斜面１５はフレーム側傾斜面１４に誘導され、前面パネル９は壁部１側に移動し、壁部１に当接して係止され、前面パネル９の下方部は本体フレーム６に設けた係止用爪１２に前面パネル９に設けた着脱用の爪１３が弾性係合して前面パネル９が取り付けられる。
【００４４】
また、前面パネル９を本体フレーム６から取り外すために着脱用の爪１３の係合を外したときには、前面パネル９は、前面パネル９に設けた係合突部１１が本体フレーム６に設けた逆Ｌ字状の係止部８に係合していることにより、仮止め状態となり前面パネル９は落下することがない。
【００４５】
このように実施の形態１の発明によれば、室内と室外を連通するように壁部１に埋設された風洞パイプ２に装着される筒状部３と、この筒状部３の室内側開口の外周に半径方向に張り出し略方形状に形成されたフランジ部４と、フランジ部４の周辺の背面側に形成された立ち上がり部５とを設けた本体フレーム６と、本体フレーム６の立ち上がり部５に、本体フレーム６の正面側寄りに設けた突起部７と、本体フレーム６の背面側寄りに逆Ｌ字状に設けられる係止部８と、本体フレーム６に取り付けられる前面パネル９に、突起部７が係合する係合孔１０および係止部８が係合するように設けられる係合突部１１と、本体フレーム６に設けた係止用爪１２に弾性係合するように設けられる着脱用の爪１３とを備え、突起部７および係止部８を設けた立ち上がり部５と対面する立ち上がり部５に係止用爪１２を設けたので、前面パネル９を本体フレーム６に取り付けるときに確実に前面パネル９を装着しないと突起部７が邪魔をして前面パネル９が取り付かないとともに、係止部８は前面パネル９の着脱時に係止して回動支点となることにより、前面パネル９の係合が容易となる。また、中途半端な状態で前面パネル９が取り付けられることがなくなり、前面パネル９の落下を防ぐことができることとなる。
【００４６】
また、本体フレーム６の上部側に突起部７および係止部８を設け、下部側に前面パネル９の着脱用の爪１３を設けたので、前面パネル９を本体フレーム６に装着するときに、確実に壁部１に接触するようにしないと取り付かなくなるとともに、前面パネル９の自重により係止部８に掛かる方向に力が働らくため、着脱動作時に回動支点が仮止め効果を発揮し、不意の落下を防止することができ、また、前面パネル９の中途半端に取り付くのが防止され、インテリア性の向上を図ることができることとなる。
【００４７】
また、本体フレーム６の上部側の立ち上がり部５の略中央に逆Ｌ字状の係止部８を１個設けたので、前面パネル９の取り付け時に、引っ掛ける箇所が１箇所のみであるため、取り付けが容易にでき、また、万が一着脱用の爪１３が破損した場合でも、前面パネル９の落下を未然に防ぎ、前面パネル９がぶら下がることにより破損したことを容易に認識することができ、また、天井に取り付けた場合、落下防止用の係止部８はできる限り、取り付け面側に設けることで外れにくくなることとなる。
【００４８】
また、本体フレーム６に設けられる突起部７を、背面側に下降するフレーム側傾斜面１４を有した形状とし、突起部７が係合するように前面パネル９に設けた係合孔１０に、突起部７のフレーム側傾斜面１４が係合するパネル側傾斜面１５を設けたので、前面パネル９の自重によって前面パネル９に設けたパネル側傾斜面１５が本体フレームに設けられたフレーム側傾斜面１４により強く係合し、前面パネル９が落下しにくい側に、また、天井取り付けの場合には下部の着脱用の爪１３が引っかかる方向に、また、壁部１に取り付けた場合には壁部１側に押さえつけられる方向に作用することとなり、前面パネル９の落下防止および壁部１との隙間を防ぎ、インテリア性を向上させることができることとなる。
【００４９】
また、本体フレーム６側に設けられる突起部７のフレーム側傾斜面１４の傾斜角度を立ち上がり部５に対して４５°以上に形成したので、前面パネル９の自重によって滑りやすい最適な角度のため、前面パネル９の落下防止および壁部１との隙間を防ぎインテリア性を向上させることができることとなる。
【００５０】
また、本体フレーム６に設けられる突起部７のフレーム側傾斜面１４を補強リブを兼ねるように形成したので、前面パネル９の誤取り付け防止の突起部７の剛性を高めることができ、突起部７が簡単に折れることがなくなり、前面パネル９を無理やりに押し込まれても誤取り付けにならないこととなる。
【００５１】
また、前面パネル９に設けられた着脱用の爪１３を、くぼみ１６が形成される曲がり部１７により形成したので、くぼみ１６を形成することにより成型時のひけがなくなり、また、指の掛かり面が広くなることにより、指が掛かり易くなり、わずかな力でも取り外し性が向上することとなる。
【産業上の利用可能性】
【００５２】
本発明にかかる換気装置の前面パネルの取り付け構造は、中途半端な状態で前面パネルが取り付けられることがない構造であり、空気調和機や自然給気口等の前面パネルの取り付け構造にも適用できる。
【図面の簡単な説明】
【００５３】
【図１】本発明の実施の形態１の換気装置の分解斜視図
【図２】同換気装置を壁部に取り付けた状態を示す構成図
【図３】同換気装置の突起部の位置関係を示す上面図
【図４】同換気装置の突起部と係合孔の関係を示す部分概略断面図
【図５】従来の換気装置の断面図
【符号の説明】
【００５４】
１    壁部
２    風洞パイプ
３    筒状部
４    フランジ部
５    立ち上がり部
６    本体フレーム
７    突起部
８    係止部
９    前面パネル
１０  係合孔
１１  係合突部
１２  係止用爪
１３  着脱用の爪
１４  フレーム側傾斜面
１５  パネル側傾斜面
１６  くぼみ
１７  曲がり部
【図１】
0004784337.tif 000002
【図２】
0004784337.tif 000003
【図３】
0004784337.tif 000004
【図４】
0004784337.tif 000005
【図５】
0004784337.tif 000006